(57)【要約】【課題】加熱された記録材から放出される水蒸気が装置内の予め定められた箇所に付着することを抑える。【解決手段】処理装置３には、穴あけユニット６５の上流側であって用紙搬送経路上の予め定められた設置箇所に、この設置箇所よりも用紙搬送方向下流側に位置する下流側空間とこの設置箇所よりも用紙搬送方向上流側に位置する上流側空間とを仕切る仕切り部材６６が設けられている。上流側空間から下流側空間へ用紙Ｐが移動する際に、用紙Ｐの周辺に位置する水蒸気が用紙Ｐとともに移動せずに、上流側空間に残るようになる。これにより、穴あけユニット６５における結露が生じにくくなり、結露に伴う用紙Ｐの質の低下が起きにくくなる。【選択図】図１
2013257390.tif 000002
【特許請求の範囲】
【請求項１】
記録材に画像を形成する画像形成部と、
前記画像形成部により画像が形成された記録材を加熱する加熱装置と、
前記加熱装置により加熱された記録材が搬送される記録材搬送経路と、
前記記録材搬送経路上の予め定められた設置箇所に設けられるとともに、当該記録材搬送経路に沿って搬送されてきた記録材が通過可能に構成され、当該設置箇所よりも記録材搬送方向下流側に位置する下流側空間と当該設置箇所よりも記録材搬送方向上流側に位置する上流側空間とを仕切る仕切り部材と、
を備える画像形成システム。
【請求項２】
前記仕切り部材は、
記録材搬送方向と交差する方向に沿って配置された回転軸を中心に回転可能に設けられた第１の円柱状部材と、
前記記録材搬送経路を挟み前記第１の円柱状部材の対向位置に配置されるとともに当該第１の円柱状部材に押し当てられ、記録材搬送方向と交差する方向に沿って配置された回転軸を中心に回転可能に設けられた第２の円柱状部材と、
から少なくとも構成されていることを特徴とする請求項１記載の画像形成システム。
【請求項３】
前記仕切り部材を内部に収容するとともに前記画像形成部により画像が形成された記録材を受け入れる受け入れ口と当該仕切り部材を通過した記録材の排出に用いられる排出口とを有した収容筺体を更に備え、
前記仕切り部材は、前記受け入れ口に近い側および前記排出口に近い側のうちの当該受け入れ口に近い側に設けられていることを特徴とする請求項１又は２に記載の画像形成システム。
【請求項４】
記録材搬送方向において前記収容筺体よりも上流側に配置され、前記画像形成部および前記加熱装置を内部に収容した上流側筺体を更に備え、
前記収容筺体および前記上流側筺体は、互いに隣接した状態で設けられ、
前記収容筺体に設けられた前記受け入れ口は、当該収容筺体のうちの前記上流側筺体に対峙する面に設けられ、
前記対峙する面と前記上流側筺体との間には間隙が形成されていることを特徴とする請求項３記載の画像形成システム。
【請求項５】
加熱された記録材が搬送される記録材搬送経路と、
金属材料により形成された部位を有し、前記記録材搬送経路に沿って搬送されてきた記録材に対して予め定められた処理を施す処理手段と、
前記処理手段よりも記録材搬送方向上流側に設けられるとともに前記記録材搬送経路上の予め定められた設置箇所に設けられ、当該記録材搬送経路に沿って搬送されてきた記録材が通過可能に構成され、当該設置箇所よりも記録材搬送方向下流側に位置する下流側空間と当該設置箇所よりも記録材搬送方向上流側に位置する上流側空間とを仕切る仕切り部材と、
を備える記録材処理装置。
【請求項６】
前記記録材を受け入れる受け入れ口と、
前記処理手段による処理が終了した記録材の排出に用いられる排出口と、
を更に備え、
前記仕切り部材は、前記受け入れ口に近い側および前記排出口に近い側のうちの当該受け入れ口に近い側に設けられていることを特徴とする請求項５記載の記録材処理装置。
【請求項７】
前記仕切り部材よりも前記受け入れ口側且つ前記記録材搬送経路よりも上方には、記録材の案内を行う案内面が設けられ、
前記案内面は、前記仕切り部材が設けられている側から前記受け入れ口が設けられている側に向かうに従い上方に向かうように傾斜した状態で形成されていることを特徴とする請求項６記載の記録材処理装置。
【発明の詳細な説明】
【技術分野】
【０００１】
本発明は、画像形成システムおよび記録材処理装置に関する。
【背景技術】
【０００２】
搬送されてきた記録シートの姿勢を１枚ずつ一定の向きに合致させる姿勢合わせ手段と、この姿勢合わせ手段によって姿勢合わせのなされた記録シートに対して１枚ずつパンチング処理を行うパンチャとを備えたフィニッシャが提案されている（例えば、特許文献１参照）。
【先行技術文献】
【特許文献】
【０００３】
【特許文献１】特許第３５８９６７７号公報
【発明の概要】
【発明が解決しようとする課題】
【０００４】
本発明の目的は、加熱された記録材から放出される水蒸気が装置内の予め定められた箇所に付着することを抑えることにある。
【課題を解決するための手段】
【０００５】
請求項１に記載の発明は、記録材に画像を形成する画像形成部と、前記画像形成部により画像が形成された記録材を加熱する加熱装置と、前記加熱装置により加熱された記録材が搬送される記録材搬送経路と、前記記録材搬送経路上の予め定められた設置箇所に設けられるとともに、当該記録材搬送経路に沿って搬送されてきた記録材が通過可能に構成され、当該設置箇所よりも記録材搬送方向下流側に位置する下流側空間と当該設置箇所よりも記録材搬送方向上流側に位置する上流側空間とを仕切る仕切り部材と、を備える画像形成システムである。
請求項２に記載の発明は、前記仕切り部材は、記録材搬送方向と交差する方向に沿って配置された回転軸を中心に回転可能に設けられた第１の円柱状部材と、前記記録材搬送経路を挟み前記第１の円柱状部材の対向位置に配置されるとともに当該第１の円柱状部材に押し当てられ、記録材搬送方向と交差する方向に沿って配置された回転軸を中心に回転可能に設けられた第２の円柱状部材と、から少なくとも構成されていることを特徴とする請求項１記載の画像形成システムである。
請求項３に記載の発明は、前記仕切り部材を内部に収容するとともに前記画像形成部により画像が形成された記録材を受け入れる受け入れ口と当該仕切り部材を通過した記録材の排出に用いられる排出口とを有した収容筺体を更に備え、前記仕切り部材は、前記受け入れ口に近い側および前記排出口に近い側のうちの当該受け入れ口に近い側に設けられていることを特徴とする請求項１又は２に記載の画像形成システムである。
請求項４に記載の発明は、記録材搬送方向において前記収容筺体よりも上流側に配置され、前記画像形成部および前記加熱装置を内部に収容した上流側筺体を更に備え、前記収容筺体および前記上流側筺体は、互いに隣接した状態で設けられ、前記収容筺体に設けられた前記受け入れ口は、当該収容筺体のうちの前記上流側筺体に対峙する面に設けられ、前記対峙する面と前記上流側筺体との間には間隙が形成されていることを特徴とする請求項３記載の画像形成システムである。
【０００６】
請求項５に記載の発明は、加熱された記録材が搬送される記録材搬送経路と、金属材料により形成された部位を有し、前記記録材搬送経路に沿って搬送されてきた記録材に対して予め定められた処理を施す処理手段と、前記処理手段よりも記録材搬送方向上流側に設けられるとともに前記記録材搬送経路上の予め定められた設置箇所に設けられ、当該記録材搬送経路に沿って搬送されてきた記録材が通過可能に構成され、当該設置箇所よりも記録材搬送方向下流側に位置する下流側空間と当該設置箇所よりも記録材搬送方向上流側に位置する上流側空間とを仕切る仕切り部材と、を備える記録材処理装置である。
請求項６に記載の発明は、前記記録材を受け入れる受け入れ口と、前記処理手段による処理が終了した記録材の排出に用いられる排出口と、を更に備え、前記仕切り部材は、前記受け入れ口に近い側および前記排出口に近い側のうちの当該受け入れ口に近い側に設けられていることを特徴とする請求項５記載の記録材処理装置である。
請求項７に記載の発明は、前記仕切り部材よりも前記受け入れ口側且つ前記記録材搬送経路よりも上方には、記録材の案内を行う案内面が設けられ、前記案内面は、前記仕切り部材が設けられている側から前記受け入れ口が設けられている側に向かうに従い上方に向かうように傾斜した状態で形成されていることを特徴とする請求項６記載の記録材処理装置である。
【発明の効果】
【０００７】
請求項１の発明によれば、本構成を有していない場合に比較して、加熱された記録材から放出される水蒸気が装置内の予め定められた箇所に付着することを抑えることができる。
請求項２の発明によれば、本構成を有していない場合に比較して、仕切り部材を記録材が通過する際に記録材をより円滑に移動させることができるようになる。
請求項３の発明によれば、排出口に近い側に仕切り部材が設けられる場合に比べ、収容筺体からの水蒸気の排出をより円滑に行うことができるようになる。
請求項４の発明によれば、対峙する面と上流側筺体との間には間隙が形成されていない場合に比べ、収容筺体からの水蒸気の排出をより円滑に行うことができるようになる。
請求項５の発明によれば、本構成を有していない場合に比較して、加熱された記録材から放出される水蒸気が装置内の予め定められた箇所に付着することを抑えることができる。
請求項６の発明によれば、排出口に近い側に仕切り部材が設けられる場合に比べ、装置内からの水蒸気の排出をより円滑に行うことができるようになる。
請求項７の発明によれば、案内面が傾斜した状態で形成されていない場合に比べ、装置内からの水蒸気の排出をより円滑に行うことができるようになる。
【図面の簡単な説明】
【０００８】
【図１】本実施の形態が適用される画像形成システムの全体構成を示した図である。
【図２】図１における矢印ＩＩ方向から仕切り部材等を眺めた場合図である。
【図３】処理装置の他の構成例を示した図である。
【図４】図３における矢印ＩＶ方向から仕切り部材等を眺めた場合の図である。
【図５】処理装置の他の構成例を示した図である。
【図６】図５における矢印ＶＩ方向から仕切り部材等を眺めた場合の図である。
【発明を実施するための形態】
【０００９】
以下、添付図面を参照して、本発明の実施形態について詳細に説明する。
図１は、本実施の形態が適用される画像形成システム１の全体構成を示した図である。
図１に示す画像形成システム１には、記録材の一例としての用紙Ｐに対して例えば電子写真方式によってカラー画像を形成する画像形成装置２、画像形成装置２から排出された用紙Ｐに対して予め定められた処理を施す処理装置３が設けられている。
【００１０】
画像形成装置２には、各装置および各機構を内部に収納する筺体２Ｄが設けられている。また、画像形成装置２には、例えば液晶ディスプレイにより構成され、ユーザに対して情報を表示するとともにユーザからの指示（入力）を受け付けるＵＩ（User Interface）が設けられている。また、上流側筺体の一例としての筺体２Ｄの内部には、用紙Ｐに対して例えばトナー像を形成する画像形成部２Ｆが設けられている。
【００１１】
また、筺体２Ｄの内部には、用紙Ｐを加熱および加圧し画像形成部２Ｆによって用紙Ｐ上に形成されたトナー像をこの用紙Ｐに定着する定着装置２Ｅが設けられている。さらに、画像形成装置２には、モータなどの駆動源を備え、用紙Ｐを、予め定められた用紙搬送経路に沿って且つ画像形成部２Ｆおよび定着装置２Ｅを経由させて処理装置３まで搬送する用紙搬送機構（不図示）が設けられている。さらに、画像形成装置２には、画像形成部２Ｆ、定着装置２Ｅ、用紙搬送機構、ＵＩなどを制御する制御部２Ｃが設けられている。
【００１２】
なお、画像形成装置２に設けられた上記画像形成部２Ｆは、例えば、感光体ドラム、この感光体ドラムを帯電する帯電器、感光体ドラムにレーザ光を照射し静電潜像を形成するレーザ露光器、感光体ドラムに形成された上記静電潜像をトナーを用いて現像する現像装置、感光体ドラム上に形成されたトナー像を用紙Ｐに対し転写する転写装置とから構成することができる。なお、本実施形態では、電子写真方式によって画像を形成する場合を例示したが、インクジェット方式などによって画像を形成することもできる。
【００１３】
記録材処理装置の一例としての処理装置３には、画像形成装置２に設けられた筺体２Ｄと同様、各装置および各機構を内部に収納する筺体４Ｄが設けられている。なお、収容筺体の一例としてのこの筺体４Ｄは、用紙Ｐの搬送方向において、画像形成装置２に設けられた筺体２Ｄよりも下流側に配置されている。また、本実施形態では、筺体２Ｄと筺体４Ｄとの間に間隙Ｇが形成された状態で筺体２Ｄおよび筺体４Ｄが配置されている。
【００１４】
また、処理装置３には、画像形成装置２から排出されてきた用紙Ｐに対して穴あけ処理（穿孔処理）を行う穴あけユニット６５が設けられている。また、本実施形態の処理装置３では、筺体４Ｄに設けられた複数の側面のうちの筺体２Ｄに対峙する側面に、画像形成装置２から排出されてきた用紙Ｐを受け入れる受け入れ口６７が設けられている。また、処理装置３には、穴あけユニット６５により穴あけ処理が施された用紙Ｐの排出に用いられる排出口６８が設けられている。
【００１５】
さらに、処理装置３には、不図示の駆動ロールを複数備え、受け入れ口６７にて受け入れられた用紙Ｐを予め定められた用紙搬送経路に沿って且つ穴あけユニット６５を経由させて排出口６８まで搬送する用紙搬送機構（不図示）が設けられている。また、本実施形態の処理装置３では、穴あけユニット６５の上流側であって用紙搬送経路上の予め定められた設置箇所に、この設置箇所よりも用紙搬送方向下流側に位置する下流側空間とこの設置箇所よりも用紙搬送方向上流側に位置する上流側空間とを仕切る仕切り部材６６が設けられている。
【００１６】
ここで、仕切り部材６６は、用紙搬送方向と交差（直交）する方向に沿って配置された回転軸を中心に回転可能に設けられるとともに用紙搬送経路よりも上方に配置された第１円柱状部材６６Ａと、同じく用紙搬送方向と交差（直交）する方向に沿って配置された回転軸を中心に回転可能に設けられるとともに用紙搬送経路よりも下方に配置された第２円柱状部材６６Ｂとから構成されている。なお、この第２円柱状部材６６Ｂは、用紙搬送経路を挟み第１円柱状部材６６Ａの対向位置に配置されるとともに第１円柱状部材６６Ａに押し当てられた状態で設けられている。
【００１７】
また、仕切り部材６６の上流側には、画像形成装置２から排出されてきた用紙Ｐが仕切り部材６６に向かうように用紙Ｐの案内を行う第１用紙案内部６９が設けられている。ここで、第１用紙案内部６９には、板状に形成され用紙Ｐが搬送されていく用紙搬送経路よりも上側に位置する第１案内部材６９１と、同じく板状に形成され用紙搬送経路よりも下側に位置する第２案内部材６９２とが設けられている。
【００１８】
ここで、第１案内部材６９１（第１案内部材６９１の用紙案内面）は、用紙Ｐの搬送方向における上流側から下流側に向かうに従い用紙搬送経路に接近するように傾斜した状態で配置され、例えば、その先端部が上方に向かうようにカールした用紙Ｐの案内を行う。また、第２案内部材６９２も、用紙Ｐの搬送方向における上流側から下流側に向かうに従い用紙搬送経路に接近するように傾斜した状態で配置され、例えば、その先端部が下方に向かうようにカールした用紙Ｐの案内を行う。
【００１９】
また、処理装置３には、穴あけユニット６５の入口側から出口側にかけて配置され、用紙Ｐの案内を行う第２用紙案内部７０が設けられている。ここで、第２用紙案内部７０は、用紙Ｐの搬送経路に沿って配置されるとともに用紙搬送経路よりも上方に配置された第１案内部材７０１と、用紙搬送経路に沿って配置されるとともに用紙搬送経路よりも下方に配置され且つ第１案内部材７０１との間に間隙を有した状態で配置された第２案内部材７０２とから構成されている。
【００２０】
また、処理装置３には、用紙Ｐの搬送方向において第２用紙案内部７０よりも下流側に、用紙Ｐの案内を行う第３用紙案内部７１が設けられている。ここで、この第３用紙案内部７１も、第２用紙案内部７０と同様、用紙搬送経路に沿って配置されるとともに用紙搬送経路よりも上方に配置された第１案内部材７１１と、用紙搬送経路に沿って配置されるとともに用紙搬送経路よりも下方に配置され且つ第１案内部材７１１との間に間隙を有した状態で配置された第２案内部材７１２とから構成されている。
【００２１】
さらに、本実施形態では、排出口６８から順次排出される用紙Ｐが積載される用紙積載部４５が設けられている。ここで、この用紙積載部４５は、筺体４Ｄの側面に取り付けられている。また、本実施形態では、上下方向に用紙積載部４５が移動できるように構成されるとともに、用紙Ｐが用紙積載部４５に積載されるに従い用紙積載部４５が下降するようになっている。
【００２２】
図２は、図１における矢印ＩＩ方向から仕切り部材６６等を眺めた場合図である。
同図に示すように、仕切り部材６６を構成する第１円柱状部材６６Ａには、用紙Ｐの搬送方向と交差（直交）する方向に沿って配置されるとともに不図示のモータにより回転される回転軸７２１が設けられている。また、第１円柱状部材６６Ａには、この回転軸７２１に取り付けられるとともにこの回転軸７２１に巻き付くように設けられ且つ円筒状に形成され、用紙Ｐに接触しこの用紙Ｐを下流側に向けて押し出す筒状部７２２が設けられている。
【００２３】
なお、この筒状部７２２には、筒状部７２２の周方向に沿う溝などが形成されておらず、筒状部７２２は、無垢状に形成されている。また、筒状部７２２は、樹脂材料に形成され弾性を有した状態となっている。また、本実施形態では、筒状部７２２の長手方向における長さＬ１の方が、本実施形態の画像形成システム１にて搬送可能な最大のサイズの用紙Ｐの幅Ｌ２（用紙Ｐの搬送方向と直交する方向における幅）よりも大きくなるように、長さＬ１が設定されている。
【００２４】
なお、仕切り部材６６を構成するもう一方の第２円柱状部材６６Ｂも、外径の大きさを除き第１円柱状部材６６Ａと同様に構成されており、回転軸（不図示）と、この回転軸に取り付けられた筒状部７３２とを備えている。ここで、この筒状部７３２は、第１円柱状部材６６Ａにおける筒状部７２２と同様、無垢状に形成されている。また、筒状部７３２の長手方向における長さの方が、本実施形態の画像形成システム１にて搬送可能な最大のサイズの用紙Ｐの幅Ｌ２よりも大きくなるように、筒状部７３２の寸法が設定されている。
【００２５】
ところで、処理手段の一例としての穴あけユニット６５には、金属製の部品が多く用いられる。また、本実施形態では、加熱装置として機能する定着装置２Ｅが設けられており、定着装置２Ｅを通過した後の用紙Ｐからは水蒸気が放出される。さらに、本実施形態では、用紙Ｐの搬送方向において、定着装置２Ｅよりも下流側に穴あけユニット６５が設けられている。この結果、本実施形態では、穴あけユニット６５にて結露が生じ穴あけユニット６５に水分が付着するおそれがある。そして、この場合、結露が生じた状態の穴あけユニット６５を用紙Ｐが通過する事態が生じ、穴あけユニット６５の水分が用紙Ｐに移ることで用紙Ｐの質の低下を招くおそれがある。
【００２６】
このため、本実施形態では、上記にて説明したとおりまた図１にて示したとおり、穴あけユニット６５の上流側に、仕切り部材６６を設けた構成としている。ここで、仕切り部材６６を構成する第１円柱状部材６６Ａおよび第２円柱状部材６６Ｂのそれぞれ設けられた筒状部７２２，７３２は、上記のとおり、無垢状に形成され且つ用紙Ｐの最大幅よりも大きい長さで形成されている。このため、用紙Ｐが仕切り部材６６を通過する際、用紙Ｐは仕切り部材６６を通過するものの、用紙Ｐから放出される水蒸気は仕切り部材６６によりその移動が規制されるようになる。
【００２７】
付言すると、本実施形態では、仕切り部材６６の設置箇所を境界として、仕切り部材６６の上流側および下流側のそれぞれに、仕切り部材６６により区画された空間（領域）が形成された状態となっており、上流側に位置する上流側空間から下流側に位置する下流側空間へ用紙Ｐが移動する際に、用紙Ｐの周辺に位置する水蒸気が用紙Ｐとともに移動せずに、上流側空間に残るようになる。さらに説明すると、本実施形態では、用紙Ｐの周辺に位置する水蒸気が用紙Ｐとともに移動せずに、仕切り部材６６により剥ぎ取られる形となる。これにより、本実施形態では、穴あけユニット６５における結露が生じにくくなり、結露に伴う用紙Ｐの質の低下が起きにくくなる。
【００２８】
なお、上流側空間内の水蒸気は、第１用紙案内部６９（図１参照）に設けられた第１案内部材６９１の表面（用紙案内面）に沿いながら移動し、画像形成装置２の筺体２Ｄと処理装置３の筺体４Ｄとの間に形成された間隙Ｇに入り込む。そして、水蒸気は、上方に向かって移動し、画像形成システム１の機外に排出される。
【００２９】
ここで、本実施形態では、上記にて説明したとおり、用紙Ｐの搬送方向における下流側に向かうに従い第１案内部材６９１が用紙搬送経路に接近する。付言すると、本実施形態では、第１案内部材６９１（の用紙案内面）が、用紙Ｐの搬送方向における上流側に向かうに従い上方に向かうように傾斜した状態で配置されている。さらに、説明すると、第１案内部材６９１は、水平方向に対して傾斜した状態で配置されているとともに、用紙搬送方向上流側に位置する部位（受け入れ口６７（図１参照）側に位置する部位）の方が、用紙搬送方向下流側に位置する部位（仕切り部材６６側に位置する部位）よりも上方に位置するようになっている。
【００３０】
このため、本実施形態では、第１案内部材６９１が例えば水平方向に沿って配置されている場合に比べ、上流側空間内の水蒸気の排出がスムースになされるようになる。また、本実施形態では、筺体４Ｄのうち受け入れ口６７に近い側および筺体４Ｄのうち排出口６８に近い側のうちの受け入れ口６７に近い側に、仕切り部材６６を設けた構成としている。そしてこの場合、排出口６８に近い側に仕切り部材６６を設けた場合に比べ、上流側空間内の水蒸気をより円滑に外部へ排出することできるようになる。
【００３１】
また、本実施形態では、受け入れ口６７の近くに仕切り部材６６を設けた構成としている。これにより、上流側空間と受け入れ口６７とを接近させることができ、上流側空間内の水蒸気をより円滑に外部へ排出することができるようになる。また、この場合、装置内のうちの水蒸気が付着しうる部分の面積が減るようになる。
【００３２】
図３は、処理装置３の他の構成例を示した図である。
上記にて説明した構成例では、第１円柱状部材６６Ａ、第２円柱状部材６６Ｂを用いて上流側空間に水蒸気を残したが、円柱状部材（第１円柱状部材６６Ａ、第２円柱状部材６６Ｂ）以外を用いた場合でも、上流側空間に水蒸気を残すことができる。ここで、図３に示す仕切り部材６６では、用紙Ｐの搬送経路よりも上方に樹脂性の第１弾性片６６３が設けられ、また、用紙Ｐの搬送経路よりも下方に同じく樹脂性の第２弾性片６６４が設けられた構成となっている。
【００３３】
ここで、第１弾性片６６３は、用紙Ｐの搬送方向上流側から下流側に向かうように配置されているとともに下流側に向かうに従い用紙搬送経路に次第に近づくように配置されている。また、第２弾性片６６４も、用紙Ｐの搬送方向上流側から下流側に向かうように配置されているとともに下流側に向かうに従い用紙搬送経路に次第に近づくように配置されている。なお、本実施形態では、用紙Ｐの搬送経路上にて第１弾性片６６３の先端部と第２弾性片６６４の先端部とが接触するように、第１弾性片６６３および第２弾性片６６４が設けられている。
【００３４】
ここで、本構成例では、第１弾性片６６３と第２弾性片６６４との間を用紙Ｐが通過する。そして、このとき、用紙Ｐの一方の面に対して第１弾性片６６３の先端部が押し付けられ、用紙Ｐの他方の面に対して第２弾性片６６４の先端部が押し付けられる。これにより、用紙Ｐが仕切り部材６６を通過する際、水蒸気が、第１弾性片６６３および第２弾性片６６４よりも上流側に位置する上流側空間に残るようになる。
【００３５】
そして、この水蒸気は、上記と同様、画像形成装置２と処理装置３との間に形成された間隙Ｇを通り、画像形成システム１の外部に排出される。なお、本実施形態では、第１用紙案内部６９（図１参照）に設けられた第１案内部材６９１と同様、第１弾性片６６３が傾斜した状態で配置されている。このため、本構成例でも、上流側空間内の水蒸気がスムースに排出されるようになる。
なお、本構成例でも、図４（図３における矢印ＩＶ方向から仕切り部材６６等を眺めた場合の図）に示すように、第１弾性片６６３（第２弾性片６６４も同様）の長手方向における寸法を、最大サイズの用紙Ｐの幅よりも大きくしている。
【００３６】
図５は、処理装置３の他の構成例を示した図である。
本構成例における処理装置３では、上記と同様に、仕切り部材６６が第１弾性片６６３および第２弾性片６６４により構成されている。ここで、第１弾性片６６３は、用紙搬送経路よりも上方に配置され、また、第２弾性片６６４は用紙搬送経路よりも下方に配置されている。また、第１弾性片６６３および第２弾性片６６４は、用紙搬送経路側に向かって凸となるように湾曲した状態で配置されている。また、第１弾性片６６３および第２弾性片６６４は、その頂部が互いに接触するように配置されている。
【００３７】
ここで、本構成例でも、第１弾性片６６３と第２弾性片６６４との間を用紙Ｐが通過する。そしてこのとき、第１弾性片６６３および第２弾性片６６４は、図中破線で示すように弾性変形する。また、用紙Ｐの一方の面に対して第１弾性片６６３の頂部が押し付けられ、用紙Ｐの他方の面に対して第２弾性片６６４の頂部が押し付けられる。これにより、用紙Ｐが仕切り部材６６を通過する際、水蒸気が、第１弾性片６６３および第２弾性片６６４よりも上流側に位置する上流側空間に残るようになる。そして、この水蒸気は、上記と同様、画像形成装置２と処理装置３との間に形成された間隙Ｇを通り、画像形成システム１の外部に排出される。
【００３８】
ここで、処理装置３においては、第１弾性片６６３と第２弾性片６６４との間を用紙Ｐが通過している途中で、用紙詰まりが発生することがある。この場合、例えば、画像形成装置２と処理装置３とが離間された後、ユーザによって、用紙Ｐの搬送方向における上流側に向けて用紙Ｐが引っ張られる。これにより、詰まった用紙Ｐの除去が行われる。
【００３９】
ところで、上記では説明を省略したが、図３にて示した構成にて、上流側への用紙Ｐの引っ張りがなされると、第１弾性片６６３の向きおよび第２弾性片６６４の向きが逆転し、上流側から下流側に向かうにように設けられていた第１弾性片６６３および第２弾性片６６４が、下流側から上流側に向かうように配置されてしまうおそれがある。そして、この場合、用紙Ｐの搬送を再開した際に用紙Ｐが再び詰まってしまう。一方で、図５にて示した構成例では、上流側へ用紙Ｐを引っ張ったとしても上記向きの逆転が生じないようになる。なお、上記と同様、また、図６（図５における矢印ＶＩ方向から仕切り部材６６等を眺めた場合の図）に示すように、本構成例でも、第１弾性片６６３（第２弾性片６６４も同様）の長手方向における寸法を、最大サイズの用紙Ｐの幅よりも大きくしている。
【００４０】
なお、上記にて説明した構成例では、用紙搬送経路の上側および下側の両者に、円柱状部材（第１円柱状部材６６Ａ、第２円柱状部材６６Ｂ）や弾性片（第１弾性片６６３、第２弾性片６６４）を設けた場合を説明したが、用紙Ｐからの水蒸気は上方に向かうため、下側の円柱状部材や下側の弾性片は省略し、上側にのみ円柱状部材や弾性片を設ける構成としてもよい。
【００４１】
また、上記にて説明した上流側空間および下流側空間は、例えば、用紙の上面に布やシートを垂らすことでも形成することができる。また、上流側空間の残った水蒸気をよりスムースに排出するため、ファンなどを設け、用紙Ｐの搬送方向における上流側に向かう気流を形成するようにしてもよい。
【００４２】
また、上記にて説明した構成例では、処理装置３に対して仕切り部材６６を設けた場合を説明したが、画像形成装置２側に、仕切り部材６６を設けるようにしてもよい。具体的には、画像形成装置２の用紙搬送経路上であって定着装置２Ｅよりも下流側に、仕切り部材６６を設けることができる。また、画像形成装置２および処理装置３の両者に仕切り部材６６を設けることもできる。なお、この場合、画像形成装置２の用紙搬送経路上であって定着装置２Ｅよりも下流側に一つ目の仕切り部材６６を設け、処理装置３の用紙搬送経路上であって穴あけユニット６５よりも上流側に二つ目の仕切り部材６６を設ける。
【符号の説明】
【００４３】
１…画像形成システム、２Ｄ…筺体、２Ｅ…定着装置、２Ｆ…画像形成部、３…処理装置、４Ｄ…筺体、６５…穴あけユニット、６６…仕切り部材、６６Ａ…第１円柱状部材、６６Ｂ…第２円柱状部材、６７…受け入れ口、６８…排出口、６９１…第１案内部材
【図１】
2013257390.tif 000003
【図２】
2013257390.tif 000004
【図３】
2013257390.tif 000005
【図４】
2013257390.tif 000006
【図５】
2013257390.tif 000007
【図６】
2013257390.tif 000008